(57)【要約】【課題】  プレゼンテーション時の資料画像の提示において、表示した資料の画像の特定部分を指し示すポイント画像によって、資料の画像の一部分が隠れてしまう問題を解決する。【解決手段】  画素密度を減らした状態でポイント画像１１７を表示する。この際、間引した画素を利用して背景の画像を表示させることで、ポイント画像に重ねて、背景の画像を表示することができる。これにより、ＣＣＤカメラ１１３によって資料１１６を撮像し、その撮像画像をスクリーン１０３に投影表示する際に、ポイント画像１１７の背後の画像表示を認識することができる。【選択図】  図１
2006311057.tif 000002
【特許請求の範囲】
【請求項１】
撮像手段と、
前記撮像手段が撮像した画像に背景を透かして見ることができるポイント画像を合成する画像合成手段と
を備えることを特徴とする画像処理装置。
【請求項２】
第１の画像に重ねて第２の画像を表示するための処理を行う装置であって、
前記第２の画像を構成する画素の画素密度を減じるための表示制御信号を生成する信号生成手段と、
前記第１の画像の画像信号と、前記第２の画像の画像信号のいずれか一方を、画素表示のタイミングに合わせて選択する処理を前記表示制御信号に基づいて実行する画像信号選択手段と
を備えることを特徴とする画像処理装置。
【請求項３】
前記画像信号選択手段の出力信号に基づく画像表示において、
前記第２の画像を構成する画素は、格子状に分布した画素分布を有していることを特徴とする請求項２に記載の画像処理装置。
【請求項４】
前記信号生成手段は、画素クロックのクロック密度を減らした信号と前記第２の画像を構成する画素の表示位置を決める制御信号との論理積をとるＡＮＤ回路を備え、
このＡＮＤ回路の出力が前記画像信号選択手段に入力されることを特徴とする請求項２または３に記載の画像処理装置。
【請求項５】
第１の画像に重ねて第２の画像を表示するための処理を行う装置であって、
前記第２の画像を構成する画素の画素密度を減じた画像信号を生成する画像信号生成手段と、
前記第１の画像の画像信号と、前記第２の画像の画像信号のいずれか一方を、画素表示のタイミングに合わせて選択する画像信号選択手段と
を備えることを特徴とする画像処理装置。
【請求項６】
前記第２の画像は、前記第１の画像の所定の部分を指し示すポイント画像であることを特徴とする請求項２〜５のいずれかに記載の画像処理装置。
【請求項７】
前記第２の画像の位置または軌跡を制御する制御手段を備えることを特徴とする請求項２〜６のいずれかに記載の画像処理装置。
【発明の詳細な説明】
【技術分野】
【０００１】
本発明は、所定の画像に別の画像を重ねて表示する技術に関する。例えば本発明は、資料提示装置を用いたプレゼンテーションにおいて、提示した画像にポイント画像を重ねて表示する技術に関する。
【背景技術】
【０００２】
図表等の資料をスクリーンに投影し、それを指し示しながらプレゼンテーションを行う手法が知られている。この手法は、会議での説明や授業において多用されている。この手法においては、資料を撮像するための装置として資料提示装置が利用される。
【０００３】
資料提示装置は、書画カメラとも呼ばれている。資料提示装置の基本的な機能は、セットした資料を撮像装置で撮像する点にある。この撮像された画像は、スクリーンに投影され、その投影した画像を視聴者に見せながらプレゼンテーションが行われる。
【０００４】
この資料提示装置を用いたプレゼンテーションにおいて、投影した画像の所定部分を指し示す手段としてポイント画像を用いる方法が知られている。ポイント画像は、例えば矢印表示のような指し示す部分を分かり易くするための補助表示画像である。この技術に関しては、例えば特許文献１に記載されている。
【０００５】
【特許文献１】特開２００３−３４８３８５号公報
【発明の開示】
【発明が解決しようとする課題】
【０００６】
大きな会場で行われるプレゼンテーションにおいては、画像を表示する画面も大画面となる。この場合、画面から遠い場所にいる視聴者がポイント画像を見やすくするために、ポイント画像の表示をある程度大きくすることが有効となる。
【０００７】
しかしながら、ポイント画像を大きくすると、ポイント画像の背後にある表示内容がポイント画像によって隠されてしまうという問題が発生する。もちろん、この問題は、ポイント画像が小さい場合にも発生するが、ポイント画像が大きい場合に顕在化する。
【０００８】
本発明は、この問題を解決し、ポイント画像によって背後の表示内容が隠されてしまう問題を解決する技術を提供することを目的とする。
【課題を解決するための手段】
【０００９】
本発明の画像処理装置は、撮像手段と、この撮像手段が撮像した画像に背景を透かして見ることができるポイント画像を合成する画像合成手段とを備えることを特徴とする。この発明によれば、資料を撮像した画像の表示に背後を透かして認識することができるポイント画像を重ねるので、例えばポイント画像を大きな表示にしても、ポイント画像が邪魔になり、提示した画像が見えなくなる問題を解決することができる。
【００１０】
また上記の発明は、資料の画像を得るステップと、前記画像に背景を透かして見ることができるポイント画像を合成する画像合成ステップとを備える画像処理装置の動作方法として把握することもできる。この場合も上述した発明と同様の効果を得ることができる。
【００１１】
なお、資料の画像を得る方法としては、撮像装置によって資料を撮像する、予め画像イメージを用意しておいた資料の画像データを記憶装置から読み出す、ネットワーク回線を介して提示する資料の画像データを入手する、といった形態を挙げることができる。
【００１２】
ポイント画像とは、表示している画像の特定部分を指し示すための補助表示画像である。ポイント画像としては、矢印や指の形の表示が一般的に知られている。また、ポイント画像として、丸、四角、ダイアといった任意の形状の表示を用いることもできる。
【００１３】
上述の背景を透かして見ることができるポイント画像を生成する方法としては、以下に説明する透過表示を利用することが好適である。以下、背景を透かして見ることができる手法である透過表示の原理を簡単に説明する。図３は、通常表示（ベタ表示）の原理を示すイメージ図である。図４は、透過表示の原理を示すイメージ図である。
【００１４】
図３（Ａ）には、図面中で左上（４５°）を指した矢印が、通常の塗りつぶされた状態で表示（ベタ表示）されている様子が示されている。ここでは、単純な例として、１０×１０の画素がマトリクス状に配置された画素構成の表示面の例が示されている。
【００１５】
図３（Ｂ）には、各画素への表示データの書き込みを制御する制御信号の走査方法が示されている。この場合は、全ての画素に画素データを書き込む場合が示されている。図３（Ｂ）に示す制御信号を用いた場合、まず１行目の左端の画素から右方向に順に画素データの書き込みが行われ、次に２行目の左端の画素から右方向に順に画素データの書き込みが行われ、次に３行目の左端の画素から右方向に順に画素データの書き込みが行われ、・・・・といった方式によって表示が行われる。
【００１６】
図３（Ｂ）に示す制御信号の走査方法においては、全ての画素にもれなく画素データの書き込みが行われる。これに対して、図４（Ｂ）には、画素一つおきに画素データを書き込む場合における制御信号の走査方法が示されている。この場合、画素一つおきにしか制御信号が供給されないので、一つおきに画素が間引きされた表示が行われる。このため、同じ画像データ（図３（Ａ）の場合と同じ画像データ）であっても、表示される画像は、図４（Ａ）に示すように、一つおきに画素が抜けた格子状の画像表示となる。
【００１７】
こうして、画素の画素密度を減じる処理が行われ、図４（Ａ）に示すような低画素密度画像の表示が行われる。この低画素密度画像は、例えば格子状に画素が抜けており、その抜けた画素を利用して他の画像を構成することができる。すなわち、この低画素密度画像は透過表示として機能し、背後に別の画像を表示することができる。
【００１８】
例えば、図４（Ａ）に示す格子状の矢印の画像を他の別の画像と重ねた場合、画素データが書き込まれていない画素を、その別の画像の画素データが埋めることになるので、遠くから見れば、表示の薄い背景が透けた矢印の画像を介して、重ねた別の画像が透けて見えることになる。この原理により、矢印が表示された部分の背後の表示内容を矢印の表示部分を介して認識することができる。
【００１９】
よって例えば、図１のスクリーン１０３に投影されている画像（資料１１６を撮像した画像）にポイント画像１１７を上述した原理を用いて表示させた場合、ポイント画像１１７の表示が透け、背後の表示を認識することができる。本明細書においては、このような表示形態を透過表示という。
【００２０】
本発明の画像処理装置は、上述した原理を利用した発明である。すなわち、本発明の画像処理装置は、第１の画像に重ねて第２の画像を表示するための処理を行う装置であって、前記第２の画像を構成する画素の画素密度を減じるための表示制御信号を生成する信号生成手段と、前記第１の画像の画像信号と、前記第２の画像の画像信号のいずれか一方を、画素表示のタイミングに合わせて選択する処理を前記表示制御信号に基づいて実行する画像信号選択手段とを備えていることを特徴とする。
【００２１】
上述した発明の画像処理装置においては、画素信号選択手段において、画素の表示タイミングに従って、第１の画像を構成する画素と第２の画像を構成する画素のいずれかが順次選択される。例えば、ｍ行×ｎ列の画素がマトリクス状に配置された表示装置であれば、（ｍ＝１、ｎ＝１）の画素に第１の画像を構成する画素データを割り当て、（ｍ＝１、ｎ＝２）の画素に第２の画像を構成する画素データを割り当て、という具合に、ｍ×ｎ個の各画素に対応させて、第１の画像を構成する画素、または第２の画像を構成する画素のいずれかが選択される。
【００２２】
そしてこの選択処理は、第２の画像を構成する画素の画素密度を減じるための表示制御信号によって制御される。すなわち、上記の例でいうと、ｍ×ｎ個の画素のどこに第１の画像を構成する画素を割り当てるか、あるいは第２の画像を構成する画素を割り当てるかの制御が、第２の画像を構成する画素の画素密度を減じるための表示制御信号によって行われる。
【００２３】
画素密度を減じるというのは、元々の画素データは、図３（Ａ）に例示するような画素分布であったものを、図４（Ａ）に例示するような、飛び飛び（この例の場合一つおき）の画素分布にすることをいう。
【００２４】
この画像表示の仕組みによれば、第２の画像の画素データが抜かれた画素部分に第１の画像の画素データが表示される。このため、第１の画像と第２の画像の表示が重なった部分において、第２の画像が透け、その背後に第１の画像が認識できる状態となる。
【００２５】
これにより、例えば図１に示すような表示を行わすことができる。図１には、スクリーン１０３に資料１１６の撮像画像に重ねて、透過表示されたポイント画像１１７が表示されている状態が示されている。この例の場合、本発明との対応関係でいえば、資料１１６の投影画像が第１の画像、ポイント画像１１７の投影画像が第２の画像となる。
【００２６】
この構成によれば、画像信号選択手段における選択タイミング（あるいはスイッチング）を制御すればよいので、高速なデジタル信号の演算処理を必要としない。そのため、第２の画像を素早く移動させたような場合に有利となる。また、高価なデバイスを必要としない優位性がある。また、高速なデジタル信号の演算において顕在化する消費電力の増大を回避することができる。
【００２７】
画素密度を減らす形態としては、例えば図４（Ａ）に示すような一つおきに画素データの書き込み位置を間引いいた格子状（格子模様、市松模様あるいはチェック模様）の画素分布を実現する形態、所定の数おき（例えば２つおき）に画素データを抜く形態、あるいは所定の周期性をもって画素が抜かれた形態を挙げることができる。
【００２８】
上記構成において、信号生成手段は、画素クロックのクロック密度を減らした信号と第２の画像を構成する画素の表示位置を決める制御信号との論理積をとるＡＮＤ回路を備え、このＡＮＤ回路の出力が画像信号選択手段に入力される構成とすることは好ましい。
【００２９】
この態様によれば、ＡＮＤ回路におけて、第２の画像を構成する画素の表示位置を決める制御信号が、画素クロック密度が減らされた信号のタイミングに合わせて選択される。この際、画素クロックのクロック密度の減らし具合を反映した形で第２の画像を構成する画素の表示位置を決める制御信号が間引かれる。
【００３０】
例えば、画素クロックを一つおきに間引いた信号をＡＮＤ回路に入力した場合、第２の画像を構成する画素の表示位置を決める制御信号は、画素一つおきにしか選択されない。そのため、第２の画像の画像信号の画像信号選択手段における選択頻度は半分になり、表示した画面上における第２の画像は、図４（Ａ）に例示するような、画素が一つおきに抜けた格子状になる。
【００３１】
そして、第２の画像の画素が選択されなかった位置には、他方の第１の画像の画素データが表示されるので、点々と画素データが表示された第２の画像に重ねて第１の画像が表示される。その結果、透過表示となる第２の画像に重なった第１の画像を認識することができる。こうして、例えば図１のスクリーン１０３に表示例を示すような表示を実現することができる。
【００３２】
この態様は、ＡＮＤ回路を用いて第２の画像を構成する画素密度を減じるための信号を生成するので、部品数の少ないシンプルな構成によって実現できる。また、画素選択の周波数に合わせてＡＮＤ回路と画像信号選択手段をスイッチングすればよいので、低コストで入手できる部品で高速動作が可能である。このため、低コストでありながら、第２の画像の素早い動きに対応することができる。これは、第２の画像として、素早い動きが要求されるポイント画像が選択される場合に有用となる。
【００３３】
また本発明の画像処理装置の他の構成は、第１の画像に重ねて第２の画像を表示するための処理を行う装置であって、前記第２の画像を構成する画素の画素密度を減じた画像信号を生成する画像信号生成手段と、前記第１の画像の画像信号と、前記第２の画像の画像信号のいずれか一方を、画素表示のタイミングに合わせて選択する画像信号選択手段とを備えることを特徴とする。
【００３４】
この発明においては、画像信号選択手段の動作を制御する制御信号を工夫するのではなく、画像信号選択手段において選択される第２の画像の画像信号に対して、予め画素データを間引く処理を施す。こうすることで、前述した第１の発明と同様の効果を得ることができる。ただし、この発明においては、例えば格子状の画素データから構成されるような画像データを予め用意し、それをメモリ等に記憶しておく必要がある。
【００３５】
本発明において、第２の画像は、第１の画像の所定の部分を指し示すポイント画像であることは好ましい。この態様によれば、矢印表示等のポイント画像を透過表示にすることができる。そのため、プレゼンテーションにおいてポイント画像の背後にある提示画像を視聴者に見せることができる。つまり、ポイント画像が表示されている部分において、提示画像が見えなくなってしまう問題の発生を抑えることができる。
【００３６】
また第２の画像の位置または軌跡を制御する制御手段を備えることは好ましい。この態様によれば、第１の画像を表示している画面上において、第２の画像を動かしたり、第２の画像の軌跡を表示し、線や文字を表示したりするといったことができる。
【００３７】
本発明の画像処理装置を資料提示装置に適用することは好ましい。この場合、提示する資料を撮像するための画像撮像装置と、上述した画像処理装置とを備え、第１の画像は、前記画像撮像装置が撮像した画像である構成を備えた資料提示装置となる。
【００３８】
この資料提示装置は、撮像した画像を第１の画像として、それに重ねて表示するポイント画像を第２の画像とすることで、ポイント画像を透過表示することができ、プレゼンテーションに好適なものとなる。
【００３９】
撮像手段としては、ＣＣＤカメラやＣＭＯＳイメージセンサーを利用することができる。画像を表示する手段としては、投影装置（プロジェクター）を用いてスクリーン等に画像を投影する方法、大画面の画像表示装置に画像を表示する方法を挙げることができる。大画面の画像表示装置としては、プラズマディスプレイ、液晶ディスプレイ、ＬＥＤディスプレイ等を挙げることができる。
【００４０】
本発明の画像処理装置は、画像処理装置の動作方法として把握することも可能である。すなわち、第１の画像に重ねて第２の画像を表示するための方法であって、前記第２の画像を構成する画素の画素密度を減じるための表示制御信号を生成する信号生成ステップと、前記第１の画像の画像信号と、前記第２の画像の画像信号のいずれか一方を、画素表示のタイミングに合わせて選択する処理を前記表示制御信号に基づいて実行する画像信号選択ステップとを備える画像処理装置の動作方法として把握することもできる。
【００４１】
また、第１の画像に重ねて第２の画像を表示するための方法であって、前記第２の画像を構成する画素の画素密度を減じた画像信号を生成する画像信号生成ステップと、前記第１の画像の画像信号と、前記第２の画像の画像信号のいずれか一方を、画素表示のタイミングに合わせて選択する画像信号選択ステップとを備える画像処理装置の動作方法として把握することもできる。
【００４２】
本明細書において、資料を示しながら説明を行う行為をプレゼンテーションとしているが、本発明は、資料の画像を提示しながらの授業、勉強会、報告等に利用することができる。また本発明は、各種画像表示やパーソナル・コンピュータの表示画面におけるポイント画像の表示、特定の表示部分を強調する表示等に利用することができる。
【発明の効果】
【００４３】
本発明によれば、プレゼンテーション時に提示する画像に重ねて、その画像の特定部分を指し示すポイント画像を背景の表示を認識できる形態で表示する。このため、ポイント画像によって提示する画像が部分的に見えなくなってしまう不都合を解決することができる。
【００４４】
また本発明によれば、第１の画像に第２の画像を重ねて表示する際に、第２の画像の画素密度を減らし、第２の画像を透過表示とする。こうすることで、第２の画像の背後の第１の画像を認識することができる。そして、ポイント画像としてこの第２の画像の透過表示を採用することで、ポイント画像によって背後の表示内容が隠されてしまう問題を解決することができる。また、本発明は、第２の画像の画素密度を減ずればよいので、簡単な構成で第２の画像を透過表示にすることが可能であり、低コストで高速動作が可能となる。
【発明を実施するための最良の形態】
【００４５】
（１）第１の実施形態
１．実施形態の構成
図１は、発明を利用したプレゼンテーションシステムの概要を示すイメージ図である。図１には、資料提示装置１０１、投影装置１０２、スクリーン１０３、画像伝送ケーブル１０４、撮像対象となる資料１１６が示されている。資料提示装置１０１は、ディスプレイ１１１、ディスプレイ支持アーム１１２、撮像装置であるＣＣＤカメラ１１３、カメラ支持アーム１１４、操作手段１１５を備えている。
【００４６】
資料提示装置１０１は、ＣＣＤカメラ１１３によって資料１１６を撮像し、その撮像画像を、画像伝送ケーブル１０４を介して投影装置１０２に送る。投影装置１０２は、ＣＣＤカメラ１１３によって撮像した画像をスクリーン１０３に投影する。
【００４７】
ディスプレイ１１１は、表示面の仰角が制御できるようにディスプレイ支持アーム１１２によって支持されている。またディスプレイ１１１は、ＣＣＤカメラ１１３が撮像した画像を表示する機能の他に、各種の操作を行うためのタッチパネルとしての機能を備える。このタッチパネル機能は、感圧素子によって、ディスプレイ１１１の押された位置を検出することによって実現されている。ＣＣＤカメラ１１３は、カメラ支持アーム１１４によって、撮像方向や画角を調整することができるように支持されている。
【００４８】
スクリーン１０３には、透過表示されたポイント画像１１７が表示されている。ポイント画像１１７は、資料提示装置１０１が備えた画像合成機能によって、資料１１６の撮像画像に合成される。この仕組みについては後述する。
【００４９】
資料提示装置１０１の操作は、ディスプレイ１１１上のタッチパネルによって行うこともできるが、操作手段１１５を操作して行うこともできる。
【００５０】
図１には、スクリーン１０３に透過表示された矢印形状のポイント画像１１７が示されている。このポイント画像１１７は、格子状に画素を抜いた表示を行っているので、背景の表示を透けて認識することができる。
【００５１】
図２は、図１に示す資料提示装置１０１の概要を示すブロック図である。図２に示すように資料提示装置１０１は、ＣＣＤ素子２０１、ＣＣＤ制御回路２０２、セレクタ２０３、Ｄ／Ａコンバータ２０４、ポイント画像制御回路２０５、ポイント位置検出回路２０６、ポイント画像データを記憶したメモリ２０７、格子発生回路２０８およびＡＮＤ回路２０９を備えている。
【００５２】
ＣＣＤ素子２０１とＣＣＤ制御回路２０２は、ＣＣＤカメラ１１３（図１参照）に含まれている。ＣＣＤ素子２０１が検出した画像データは、ＣＣＤ制御回路２０２によって読み出され、デジタルＲＧＢ信号が生成される。生成されたデジタルＲＧＢ信号は、セレクタ２０３に送られる。
【００５３】
ポイント位置検出回路２０６は、ディスプレイ１１１に設けられたタッチパネル式の情報入力手段に含まれており、ポイント画像１１７（図１参照）の表示位置を指定する信号を生成する。ディスプレイ１１１をペン入力装置で押すと、それが感圧機構によって読み取られ、指された位置に対応するスクリーン１０３上の位置が特定される。その位置読み取り信号が、ポイント位置検出回路２０６において生成される。
【００５４】
なお、資料１１６をライトペンで指し示し、その輝点の位置（赤外光が照射されたスポット位置）をＣＣＤカメラ１１３の撮像画像中から読み取り、その位置情報からポイント画像１１７の表示位置を決めるようにすることもできる。この場合、ポイント位置検出回路２０６には、画像解析により、輝点の位置を検出する機能が必要とされる。
【００５５】
なお、ポイント位置検出回路２０６と同様の回路は、操作手段１１５にも配置されている。なお、ポイント画像の位置を制御する手段として、一般にマウスと呼ばれている入力装置を用いた構成を採用することもできる。
【００５６】
ポイント位置検出回路２０６から出力された制御信号（ポイント画像１１７の表示位置を制御する制御信号）は、ポイント画像制御回路２０５に送られる。ポイント画像制御回路２０５は、メモリ２０７からポイント画像データを読み出し、それをセレクタ２０３に送ると共に、ポイント画像の表示位置を制御す制御信号をＡＮＤ回路２０９に送る。なお、ポイント画像制御回路２０５からＡＮＤ回路２０９に送られる制御信号の出力タイミングの調整は、ＣＣＤ制御回路２０２から出力される画素クロックと水平垂直同期信号とが参照されることにより行われる。
【００５７】
ＣＣＤ制御回路２０２から出力された画素クロックと水平垂直同期信号は、格子発生回路２０８に送られ、格子発生回路２０８は、これらの信号に基づいて格子信号を生成し、それをＡＮＤ回路２０９に出力する。
【００５８】
格子発生回路２０８において生成される格子信号は、画素クロックのクロック波形を一定間隔で５０％間引いたクロック信号となる。すなわち、クロックの間隔を２倍にしたクロック信号を生成する。
【００５９】
ＡＮＤ回路２０９は、この格子信号と、ポイント画像制御回路２０５から出力される制御信号との論理積をとり、その結果得られる信号をポイント画像制御信号として、セレクタ２０３に出力する。セレクタ２０３は、このポイント画像制御信号に基づいて、デジタルＲＧＢ信号とポイント画像データ信号の何れかを、画素表示のタイミングに合わせて順次選択する。
【００６０】
例えば、ｍ行×ｎ列のマトリクス表示の場合、セレクタ２０３は、１行目の１列目にデジタルＲＧＢ信号の画素データを割り振り、１行目の２列目にポイント画像データ信号の画素データを割り振り、といった選択動作を行う。
【００６１】
本実施形態においては、格子発生回路２０８において画素表示のタイミングを間引きするための参照信号が生成される。このため、この参照信号の作用によって、ＡＮＤ回路２０９から出力されるポイント画像制御信号は、セレクタ２０３において一つおきにポイント画像データ信号が選択されるようにタイミング関係が調整されたものとなる。つまり、ＡＮＤ回路２０９から出力されるポイント画像制御信号は、セレクタ２０３におけるポイント画像データの選択を、画素ベースで考えて一つおきにしか選択しない制御信号となる。そのため、元々は図３（Ａ）に示すようなベタ表示であっても、図４（Ａ）に示すような格子状に画素表示がされる画像（透過表示）の画像信号がセレクタ２０３から出力されることになる。
【００６２】
セレクタ２０３において生成されたデジタルＲＧＢ信号は、Ｄ／Ａコンバータ２０４に送られ、そこでアナログＲＧＢ信号に変換される。変換されたアナログＲＧＢ信号は、画像伝送ケーブル１０４を介して投影装置１０２（図１参照）に送られ、投影装置１０２は、入力されたアナログＲＧＢ信号に基づいてスクリーン１０３に画像を投影する。こうして、図１に示すような資料１１６の撮像画像に、透過表示されたポイント画像１１７が重ねられた投影表示がスクリーン１０３上に行われる。
【００６３】
２．実施形態の動作
まず、図１のスクリーン１０３への投影表示において、ポイント画像１１７を表示しない場合の動作の例を説明する。この場合、ＣＣＤ制御回路２０２から出力されるデジタルＲＧＢ信号は、セレクタ２０３における選択処理を受けずに、Ｄ／Ａコンバータ２０４に送られる。Ｄ／Ａコンバータ２０４は、このデジタルＲＧＢ信号をアナログＲＧＢ信号に変換し、画像伝送ケーブル１０４を介してそれを、投影装置１０２に出力する。投影装置１０２は、このアナログＲＧＢ信号に基づいた画像をスクリーン１０３に投影する。こうして、資料１１６の撮像画像がスクリーン１０３に投影表示される。この場合、資料１１６を撮像したそのままの画像がスクリーン１０３に表示され、ポイント画像１１７は表示されない。
【００６４】
次に図１に示すように、資料１１６の撮像画像に、透過表示されたポイント画像１１７を重ねて表示する場合の動作の例を説明する。この場合、セレクタ２０３に入力されるデジタルＲＧＢ信号とポイント画像データ信号との選択タイミングが、ＡＮＤ回路２０９から出力されるポイント画像制御信号によって決められる。
【００６５】
ＡＮＤ回路２０９から出力されるポイント画像制御信号は、ポイント画像制御回路２０５から出力される制御信号と格子発生回路２０８から出力される格子信号とのＡＮＤ（論理積）をとった信号である。格子信号は、画素クロックを周期的に間引き（この場合は５０％間引き）した信号であるので、ＡＮＤ回路２０９から出力されるポイント画像制御信号は、ポイント画像制御回路２０５から出力される制御信号が所定の間隔で５０％間引きされたものとなる。したがって、ＡＮＤ回路２０９の出力（ポイント画像制御信号）は、画素レベルで考えて、一つおきに画素を選択することが可能な制御信号となる。換言すると、一つおきにしか画素を選択することができない制御信号となる。
【００６６】
すなわち、ポイント画像制御回路２０５から出力される制御信号は、ポイント画像１１７のドット表示のタイミングを決める信号であり、それが一つおきにしか画素を選択することができないことになる。そのために、セレクタ２０３におけるポイント画像データ信号の選択タイミングは、本来の選択タイミング（つまりベタ表示の場合の選択タイミング）よりも、選択頻度（時間的な選択タイミングの密度）が半分に減らされたものとなる。
【００６７】
こうして、ポイント画像データ信号のセレクタ２０３における選択頻度は、ベタ表示の場合の半分になり、１ドット毎に表示の抜けた画素密度の減らされた格子状の表示が行われることになる。
【００６８】
以下、この例の簡単な場合を具体的に説明する。まず、図３（Ａ）に示すのが、透過表示でないベタ表示をした場合のポイント画像である。この画像は、例えばＡＮＤ回路２０９をバイパスさせてポイント画像制御回路２０５からセレクタ２０３に制御信号を直接出力した場合に得られる。なお、図３（Ａ）においては、背景の表示、すなわちＣＣＤ制御回路２０２からセレクタ２０３に出力されるデジタルＲＧＢ信号は考慮されていない。
【００６９】
一方、ＡＮＤ回路２０９から出力されるポイント画像制御信号を用いた透過表示の例を図４（Ａ）に示す。この場合、本来の選択タイミング（つまりベタ表示の場合の選択タイミング）よりも、選択頻度（時間的な選択タイミングの密度）が半分に減らされ、一つずつ画素の抜けた格子状の表示となる。なお、図４（Ａ）においては、背景の表示、すなわちＣＣＤ制御回路２０２からセレクタ２０３に出力されるデジタルＲＧＢ信号は考慮されていない。
【００７０】
以上のような制御を行うことで、図１に示すような画素が５０％間引かれた透過表示のポイント画像１１７をスクリーン１０３上に表示させることができる。
【００７１】
そして、セレクタ２０３におけるポイント画像データ信号が選択されないタイミングにおいては、ＣＣＤカメラ１１３から出力されるデジタルＲＧＢ信号がセレクタ２０３において選択される。このため、図１に示すようにポイント画像１１７の画素データが抜けた画素の位置には、資料１１６の撮像画像を構成する画素データが表示される。こうして、ポイント画像１１７の背景の表示内容（この場合は、資料１１６の表示内容）を透かして認識することができる。この場合、ポイント画像１１７の大きさを大きくしても、本来の表示内容がポイント画像によって隠れてしまう問題を緩和することができる。
【００７２】
なお、構成画素の間引き率を６６％というように大きくすれば、さらに透過状態の良好な透過表示を行うことができる。ただし、間引き率を大きくすると、透過表示字体が薄くなるので、全体のバランスを見て間引き率を決める必要がある。また、構成画素の間引き率を５０％未満にすれば、透過表示を濃く表示することもできる。
【００７３】
なお、ポイント画像１１７の表示位置の制御は、ディスプレイ１１１の任意の位置にペン入力装置を押し当てることで行われる。この場合、ペン入力装置が押し当てられた表示画面上における位置をディスプレイ１１１が備えたタッチパネル機構が検出する。そしてポイント位置検出回路２０６（図２参照）の働きによって、スクリーン１０３上におけるポイント画像の表示位置を決める制御信号が生成される。さらに、この制御信号がポイント画像制御回路２０５に送られ、ポイント画像１１７を表示すべき位置の画素を指定する制御信号が生成され、それがＡＮＤ回路２０９に送られる。後は、上述した処理が行われて、スクリーン１０３上の所望の位置へのポイント画像１１７の透過表示が行われる。
【００７４】
このような仕組みにより、説明者は、ポイント画像１１７の表示位置を自由に制御することができる。そして、スクリーン１０３に投影表示された資料１１６の画像をポイント画像１１７によって指し示しながら、プレゼンテーションを行うことができる。
【００７５】
図２に示す構成は、複雑な画像処理の演算を行わなくて済むので、シンプルな構成で背景を認識することができる透過表示を実現できる優位性がある。特に、ＡＮＤ回路を用いることで、シンプルな構成でありながら高速処理が可能である優位性がある。これは、ポイント画像を高速で移動させた場合に、表示に遅れが生じるようなことがない点で有利である。また、デジタル的に画像処理を行う場合必要となる高速演算機能を備えたプロセッサーを必要とせず、安価なＡＮＤ回路やセレクタを用いて回路を構成できる優位性がある。
【００７６】
なおポイント画像は、矢印に限定されず、任意の形状のものを採用することができる。また、ポイント画像の色彩も任意に選択することができる。例えば、スクリーンに表示している画像の色彩に合わせてポイント画像の色彩を適宜選択できるようにしてもよい。こうすることで、ポイント画像をより目立たせることができる。
【００７７】
（２）第２の実施形態
透過表示機能は、表示している画像の一部を強調する強調表示として利用することもできる。この強調表示は、透過表示の背後が透けて認識できることを利用したものである。この強調表示は、一般的に用いられている蛍光ペン（マーカーペン）による蛍光ペン効果と似た機能を有している。
【００７８】
図５は、図１に示すプレゼンテーションシステムにおいて、投影表示した資料の画像の一部に強調表示を行った場合の例を示すイメージ図である。この場合、図１に示すポイント画像１１７の代わりに矩形状の透過表示を利用した強調表示５０１を任意の場所に表示させる。こうすると、強調表示５０１の部分の見え方が周囲と異なるものとなり、その分が視覚的に強調されることになる。
【００７９】
この強調表示そのものをポイント画像として利用することもできる。例えば、強調表示を丸い形状の表示として、それをポイント画像とした場合、スクリーン１０３を見ている視聴者は、丸い透過表示の表示位置よって、説明者が指し示している部分を認識することができる。この場合、丸い表示が透過表示であるので、視聴者はその背後の表示を認識することができる。
【００８０】
この強調表示は、任意の場所に表示することが可能であり、またその形状も任意である。この強調表示を利用することで、プレゼンテーションを行う際に、スクリーン１０３に投影表示された画像中の任意の部分を強調することが簡単に行える。
【００８１】
（３）第３の実施形態
図１に示すようなプレゼンテーションシステムにおいて、手書きで入力した文字や図形を、透過表示を用いてスクリーン上に表示することもできる。この場合、ディスプレイ１１１に文字や図柄を、ペン入力装置を用いて手書きで入力し、その表示画像を透過表示とすればよい。
【００８２】
この態様においては、ペン入力装置によって描かれた軌跡が透過表示される。この機能を実現するには、ポイント画像制御回路２０５から、軌跡の位置を指定する制御信号を出力するようにすればよい。
【００８３】
（４）第４の実施形態
以下、透過表示を実現する構成の他の例を説明する。図６は、透過表示を実現するハードウェアの一例を示すブロック図である。図６に示すのは、パーソナル・コンピュータから出力されるアナログＲＧＢ信号（アナログＲＧＢ画像の信号）に、透過表示されたポイント画像を重ね合わせる機能を実現するハードウェアの例である。
【００８４】
図６には、画像処理装置６００とパーソナル・コンピュータ６０１とが示されている。この構成は、図１に示すシステムにおいて、資料提示装置１０１の代わりに画像処理装置６００を配置し、そこにパーソナル・コンピュータ６０１を接続した構成となる。
【００８５】
この場合、パーソナル・コンピュータ６０１には、視聴者に提示しようとする画像のイメージデータが記憶される。そして、この画像が、パーソナル・コンピュータ６０１から画像処理装置６００に送り出され、そこで透過表示されるポイント画像１１７の合成が行われる。そして、図１に示すような投影表示が行われる。
【００８６】
図６に示す画像処理装置６００は、Ａ／Ｄコンバータ６０２、ＰＬＬ発振回路６０３、セレクタ２０３、Ｄ／Ａコンバータ２０４、ポイント画像制御回路２０５、ポイント位置検出回路２０６、ポイント画像データを記憶したメモリ２０７、格子発生回路２０８、ＡＮＤ回路２０９を備えている。
【００８７】
Ａ／Ｄコンバータ６０２は、パーソナル・コンピュータ６０１からのアナログＲＧＢ信号をデジタルＲＧＢ信号に変換する。ＰＬＬ発振回路６０３は、パーソナル・コンピュータ６０１から出力される水平同期信号に基づいて画素クロックを生成する。
【００８８】
セレクタ２０３、Ｄ／Ａコンバータ２０４、ポイント画像制御回路２０５、ポイント位置検出回路２０６、ポイント画像データを記憶したメモリ２０７、格子発生回路２０８、およびＡＮＤ回路２０９の機能は、図２に示す構成と同じである。
【００８９】
この構成において、ポイント画像の位置制御は、マウスを用いた方法やタッチパネルを用いた方法により行えばよい。
【００９０】
この構成においては、パーソナル・コンピュータ６０１から出力される画像に、図２に示す構成と同様の仕組みにより、透過表示されるポイント画像が重ねられる。そして、図１のスクリーン１０３上に第１の実施形態の場合と同様のポイント画像１１７の投影表示が行われ、それを利用してプレゼンテーションを行うことができる。
【００９１】
本実施形態は、プレゼンテーション用の画像データを作成するためのアプリケーション・ソフトウエアをインストールしたパーソナル・コンピュータを用いたプレゼンテーションに好適である。
【００９２】
（５）第５の実施形態
図７は、透過表示を実現するハードウェアの他の一例を示すブロック図である。図７には、パーソナル・コンピュータ６０１および画像処理装置７００が示されている。図７に示すシステムの機能は、図６に示すシステムと同じである。
【００９３】
図７に示す画像処理装置７００は、画像データをアナログ信号の状態で処理する点が図６に示す画像処理装置６００と異なる。すなわち、画像処理装置７００は、アナログＲＧＢ信号をデジタルＲＧＢ信号に変換せずに、アナログ信号そのものを処理することで、パーソナル・コンピュータ６０１から出力される画像にポイント画像を合成する。
【００９４】
画像処理装置７００は、アナログスイッチ７０１、Ｄ／Ａコンバータ７０２、ポイント画像制御回路２０５、ポイント位置検出回路２０６、ポイント画像データを記憶したメモリ２０７、格子発生回路２０８、ＡＮＤ回路２０９、ＰＬＬ発振回路６０３を備えている。
【００９５】
Ｄ／Ａコンバータ７０２は、ポイント画像制御回路２０５から出力されるポイント画像データをアナログ信号に変換し、それをアナログスイッチ７０１に送る。アナログスイッチ７０１は、ＡＮＤ回路２０９から出力されるポイント画像制御信号によって、パーソナル・コンピュータ６０１から出力されるアナログＲＧＢ信号と、Ｄ／Ａコンバータ７０２から出力されるポイント画像データのいずれかを所定のタイミングで順次選択する。この時、アナログスイッチ７０１の機能は、アナログ信号の選択をＡＮＤ回路２０９の出力に基づいてスイッチングする点において、セレクタ２０３（例えば図２参照）の機能と異なっている。
【００９６】
この例の場合も、パーソナル・コンピュータ６０１から出力される画像に、透過表示されるポイント画像が重ねられる。そして、図１のスクリーン１０３上に第１の実施形態の場合と同様の投影表示が行われる。
【００９７】
なお、図６および図７に示す例においては、アナログＲＧＢ信号の出力源として、パーソナル・コンピュータの例を示したが、アナログＲＧＢ信号を出力する機器は、パーソナル・コンピュータに限定されるものではない。
【００９８】
（６）第６の実施形態
図８は、透過表示を実現するハードウェアのさらに他の一例を示すブロック図である。図８には、図１に示す資料提示装置１０１と同様の機能を有し、資料提示装置１０１と異なる構成を有する資料提示装置８０１が示されている。この資料提示装置８０１は、ＣＣＤカメラ１１３、セレクタ２０３、Ｄ／Ａコンバータ２０４、ポイント画像制御回路２０５、ポイント位置検出回路２０６、ポイント画像データを記憶したメモリ２０７を備えている。
【００９９】
この構成においては、メモリ２０７に予め格子状に間引いたデータが記憶されている。そして、この間引いたデータが制御信号となりセレクタ２０３に供給される。この構成においては、セレクタ２０３に格子状に画素密度を減じた透過型ポイントデータが送られる。
【０１００】
そのため、図２、図６および図７に例示する構成が備えているＡＮＤ回路２０９を必要としない。すなわち、格子状の表示を行うために、ＡＮＤ回路２０９を利用したポイント画像制御信号を生成する必要がない。ただし、この構成においては、透過型ポイントデータを専用に持つ必要がある。
【０１０１】
本明細書においては、主にスクリーン上に投影される画像を例に挙げ、説明を加えた。これは、プレゼンテーションのように多数の視聴者に大画面を見せる場合に、透過表示の優位性が顕著に発揮されるからである。しかしながら、本発明の適用対象は、スクリーン上に投影される画像に必ずしも限定されるものではない。
【産業上の利用可能性】
【０１０２】
本発明は、講演会、セミナー、各種の授業等において、資料を画像として提示する資料提示装置および資料提示方法に利用することができる。また、本発明は所定の画像に別の画像を重ねて表示する技術に利用することができる。
【図面の簡単な説明】
【０１０３】
【図１】プレゼンテーションシステムの概要を示すイメージ図である。
【図２】料提示装置の一例の概要を示すブロック図である
【図３】画像の表示原理を示すイメージ図である。
【図４】透過表示の原理を示すイメージ図である。
【図５】プレゼンテーションシステムを利用した透過表示の一例を示すイメージ図である。
【図６】透過表示を実現するハードウェアの一例を示すブロック図である。
【図７】透過表示を実現するハードウェアの他の一例を示すブロック図である。
【図８】透過表示を実現するハードウェアのさらに他の一例を示すブロック図である。
【符号の説明】
【０１０４】
１０１…資料提示装置、１０２…投影装置、１０３…スクリーン、１０４…画像伝送ケーブル、１１１…ディスプレイ、１１２…ディスプレイ支持アーム、１１３…ＣＣＤカメラ、１１４…カメラ指示アーム、１１５…操作手段、１１６…提示する資料、２０１…ＣＣＤカメラ、２０２…ＣＣＤ制御回路、２０３…セレクタ、２０４…Ｄ／Ａコンバータ、２０５…ポイント画像制御回路、２０６…ポイント位置検出回路、２０７…ポイント画像データを記憶したメモリ、２０８…格子発生回路、２０９…ＡＮＤ回路。
【図１】
2006311057.tif 000003
【図２】
2006311057.tif 000004
【図３】
2006311057.tif 000005
【図４】
2006311057.tif 000006
【図５】
2006311057.tif 000007
【図６】
2006311057.tif 000008
【図７】
2006311057.tif 000009
【図８】
2006311057.tif 000010